(57)【特許請求の範囲】
【請求項１】
筐体内の送風経路に冷暖房用の熱交換器と空気清浄装置の静電式集塵ユニットとファンを備え、この静電式集塵ユニットはプラスの直流電源に接続される放電対極とマイナスの直流電源に接続される放電極で構成し、前記送風経路または送風経路近傍に負イオンを発生するイオン発生装置の放射電極を設け、前記空気清浄装置の運転および停止に連動してイオン発生装置とイオンランプによる表示を運転および停止することを特徴とする空気調和機。
【発明の詳細な説明】
【０００１】
【発明の属する技術分野】
この発明は負イオンを発生するイオン発生装置を組み込んだ空気調和機に関するものである。
【０００２】
【従来の技術】
従来より負イオンが人体に対して良い効果をもたらすことは知られており、生理作用の改善や医学療法等に利用されるものである。
また従来例として特公平７−２３７７７号で示されるように空気調和機内に組み込んだイオン発生装置で負イオンと正イオンを交互に発生させ室内の負イオンの量を調整し、空気調和機自身や周辺の機器及び壁に前記イオンの作用でホコリが多く付着する事を防止していた。
【０００３】
【発明が解決しようとする課題】
このような従来の空気調和機は室内のホコリそのものを取り除くものではないため、室内のホコリが比較的多い場合には帯電したホコリが空気調和機自身や周辺の壁等への付着が気になるものだった。
またこのイオン発生装置は人体に有用な負イオンだけではなく、人体に悪影響を及ぼすといわれている正イオンをも発生するという問題が有った。
【０００４】
【問題点を解決するための手段】
この発明はこの点に着目し上記欠点を解決する為、特にその構成を、筐体内の送風経路に冷暖房用の熱交換器と空気清浄装置の静電式集塵ユニットとファンを備え、この静電式集塵ユニットはプラスの直流電源に接続される放電対極とマイナスの直流電源に接続される放電極で構成し、前記送風経路または送風経路近傍に負イオンを発生するイオン発生装置の放射電極を設け、前記空気清浄装置の運転および停止に連動してイオン発生装置とイオンランプによる表示を運転および停止するものである。
【０００５】
【作用】
イオン発生装置１６と空気清浄装置３０の作動を説明すれば、ＳＴ１にてリモコン２２の運転スイッチ３４をＯＮすれば、空気調和機が運転を始め、室外機に備えた圧縮機（図示せず）が始動し冷凍回路の冷媒が循環を始め熱交換器８が冷房運転時には低温になり、暖房運転時には高温になると共にファン９が回転し吹出口６より温度調節された空気を吹き出す周知の空調運転がはじまる。
【０００６】
次にＳＴ２に於いてクリーナスイッチ３５の状態を判断し、ＯＮならばＳＴ３に進み、ＯＦＦならばＳＴ１１へ進む。
【０００７】
ＳＴ３では表示部１５に備えた運転ランプ１８、クリーナランプ１９、イオンランプ２０を点灯しＳＴ４に進む。
ＳＴ４ではファン９の運転状態を判断し、運転中ならばＳＴ５へ進み、停止していればＳＴ１０に進む。
【０００８】
ＳＴ５ではクリーナリレー３２がＯＮし集塵ユニット１１に電流がかけられ、空気清浄運転が始まる。
ＳＴ６ではイオンリレー２９がＯＮし放射電極１７に−６キロボルトのパルス波がかけられ、負イオンが発生し吹出口６からの送風に乗って室内へ広がる。
【０００９】
ＳＴ７では集塵ユニット１１の運転状態を運転時電極間に流れる微電流を電流検知手段３３にて検知し、集塵ユニット１１の外れや故障等によって、電流値が３０マイクロＡ以下であるかを判断し、正常で電流値が３０マイクロＡ以上の場合はＳＴ８に進み、異常により電流値が３０マイクロＡより低い場合にはＳＴ１４に進む。
【００１０】
ＳＴ８では集塵ユニット１１の放電対極１２と放電極１３の間に多量のホコリ等が付着し両極間に火花放電が発生した場合に火災防止の目的で空気清浄装置３０を停止するもので、正常で電流値が２００マイクロＡ以下の場合にはＳＴ９に進み、過電流が発生して電流値が２００マイクロＡより高い場合にはＳＴ１４にてクリーナランプ１９を速い点灯にしてＳＴ１１へ進む。
ＳＴ９では空気調和機の運転を判断し、運転停止の場合はＳＴ１５にてイオン発生装置１６および空気清浄装置３０も停止し、運転継続の場合はＳＴ２に戻る。
【００１１】
ＳＴ１０、ＳＴ１１ではイオン・クリーナスイッチ３５ＯＦＦ、ファン９停止を受けてクリーナランプ１９及びクリーナリレー３２を停止し、ＳＴ１２、ＳＴ１３でイオンランプ２０及びイオンリレー２９を停止し、ＳＴ９に進み運転停止までこれらを繰り返すものである。
【００１２】
【実施例】
以下この発明の一実施例を図面をもとに説明すれば、１はセパレート式空気調和機の室内機で、本体ケーシング２と前方の前面カバー３によって筐体を形成し、前記前面カバー３の中央から上部には横長スリット状の吸込口４を有するオープンパネル５を備えこのパネル５上部左右に設けた軸（図示せず）を支点として前面カバー３前方へ開閉自在に取付られ、前記吸込口４下方から前面カバー３底面には横長の吹出口６を設け、前面カバー３上面には前記吸込口４で不足する開口面積を補うために上部吸込口７を設けている。
【００１３】
前記吸込口４・７の内側には横長で上下方向には多段に屈曲されたフィンチューブ式の熱交換器８を設け、この熱交換器８の後部には送風用のクロスフローファン９を配置している。
前記熱交換器８の下方には樹脂の発泡材で一体成形されたドレーンユニット１０を設け、結露水を受けると共にファン９の送風を吹出口６へ導くエアーガイドの機能を兼ねるものである。
【００１４】
１１は空気清浄を行う静電式集塵ユニットで、約＋２ｋｖの直流電源に接続された多数のアルミ板を送風方向に平行に並べた放電対極１２とこの放電対極１２の間に約−２ｋｖの直流電源に接続された線又は針状電極で形成される放電極１３とで構成し、空気中の目に見えない塵やタバコの煙を前記放電極１３で帯電し放電対極１２にて捕捉するものであり、前記熱交換器８と前面パネル３の間の上部空間に取り付けられるものである。
【００１５】
また吸込口４・７と熱交換器８の間、又は吸込口４と空気清浄ユニット１１の間には樹脂製で網目状のプレフィルタ１４を備え、空気中の比較的大きなホコリを捕捉する。
前記吹出口６の右側には空気調和機の運転状態をランプ等で表示する表示部１５を設けている、この表示部１５の更に右側にはイオン発生手段であるイオン発生装置１６の放射電極１７が配置されている。
【００１６】
前記放射電極１７より発生して室内に拡散する負イオンの量は前記吹出口６より吹き出す風量によって変動するもので、風量が大きければ負イオンの量も多いものである。
前記表示部１５は運転ランプ１８と空気清浄装置３０の運転を表示するクリーナランプ１９とイオンの発生をランプで表示するイオンランプ２０を備えている。
【００１７】
図４はこの実施例における風量とイオン量の関係を示すグラフで、横軸に風量、縦軸に１ｃｃ当たりの負イオンの数を表し、約８畳の広さの室内中央部高さ約１ｍでの負イオンの数を測定したものであり、風量とイオン量の関係は比例関係にあり、強風（約８m３／min）では約５，０００個／cc、微風（約４m３／min）で約１，０００個／ccのイオンが測定され、中間の中及び弱風においてもそれぞれ比例関係にある。
【００１８】
図５をもとに制御回路のブロック図を説明すれば、２１は空気調和機の運転やイオン発生装置１６の制御を行うマイクロコンピュータ等の制御装置で、ワイヤレスリモコン２２の受信ユニット２３や温度センサ２４、湿度センサ２５等が入力側に接続され、出力側は前記表示部１５やファン９を駆動するファンモータ２６や室外機の制御装置２７や前記イオン発生装置１６の高圧発生回路２８へ通じる電源をＯＮ−ＯＦＦするイオンリレー２９や空気清浄装置３０の高圧ユニット３１へ通じる電源をＯＮ−ＯＦＦするクリーナリレー３２に接続されている。
【００１９】
前記空気清浄装置３０は交流１００ｖの電源を高圧ユニット３１にて約＋２ｋｖと約−２ｋｖの直流に変換して前記空気清浄ユニット１１に供給するもので、前記高圧ユニット３１と電源の間に設けた前記クリーナリレー３２によって制御装置２１にて運転、停止する空気清浄手段である。
【００２０】
また前記高圧ユニット３１は集塵ユニット１１の放電対極１２と放電極１３の間の電流値を監視するための電流検知手段３３を備え、制御装置２１へ電流値の信号を送り、制御装置２１にてこの電流値が３０マイクロＡ〜２００マイクロＡの間にあるかどうかを判断するものである。
【００２１】
前記ワイヤレスリモコン２２は多数のボタン式押圧スイッチを備え、押圧により空気調和機の運転や停止を行う運転スイッチ３４、空気清浄装置３０の運転、停止とイオン発生装置１６の運転、停止を連動して行うイオン・クリーナスイッチ３５とが設けられ、前記スイッチ類の作動の信号を赤外線によって受信ユニット２３に伝達するものであり、液晶表示部３６によって運転の設定状態を表示するものである。
【００２２】
図６のフローチャートによってイオン発生装置１６と空気清浄装置３０の作動を説明すれば、ＳＴ１にてリモコン２２の運転スイッチ３４をＯＮすれば、空気調和機が運転を始め、室外機に備えた圧縮機（図示せず）が始動し冷凍回路の冷媒が循環を始め熱交換器８が冷房運転時には低温になり、暖房運転時には高温になると共にファン９が回転し吹出口６より温度調節された空気を吹き出す周知の空調運転がはじまる。
【００２３】
次にＳＴ２に於いてクリーナスイッチ３５の状態を判断し、ＯＮならばＳＴ３に進み、ＯＦＦならばＳＴ１１へ進む。
【００２４】
ＳＴ３では表示部１５に備えた運転ランプ１８、クリーナランプ１９、イオンランプ２０を点灯しＳＴ４に進む。
ＳＴ４ではファン９の運転状態を判断し、運転中ならばＳＴ５へ進み、停止していればＳＴ１０に進む。
【００２５】
ＳＴ５ではクリーナリレー３２がＯＮし集塵ユニット１１に電流がかけられ、空気清浄運転が始まる。
ＳＴ６ではイオンリレー２９がＯＮし放射電極１７に−６キロボルトのパルス波がかけられ、負イオンが発生し吹出口６からの送風に乗って室内へ広がる。
【００２６】
ＳＴ７では集塵ユニット１１の運転状態を運転時電極間に流れる微電流を電流検知手段３３にて検知し、集塵ユニット１１の外れや故障等によって、電流値が３０マイクロＡ以下であるかを判断し、正常で電流値が３０マイクロＡ以上の場合はＳＴ８に進み、異常により電流値が３０マイクロＡより低い場合にはＳＴ１４に進む。
【００２７】
ＳＴ８では集塵ユニット１１の放電対極１２と放電極１３の間に多量のホコリ等が付着し両極間に火花放電が発生した場合に火災防止の目的で空気清浄装置３０を停止するもので、正常で電流値が２００マイクロＡ以下の場合にはＳＴ９に進み、過電流が発生して電流値が２００マイクロＡより高い場合にはＳＴ１４にてクリーナランプ１９を速い点灯にしてＳＴ１１へ進む。
ＳＴ９では空気調和機の運転を判断し、運転停止の場合はＳＴ１５にてイオン発生装置１６および空気清浄装置３０も停止し、運転継続の場合はＳＴ２に戻る。
【００２８】
ＳＴ１０、ＳＴ１１ではイオン・クリーナスイッチ３５ＯＦＦ、ファン９停止を受けてクリーナランプ１９及びクリーナリレー３２を停止し、ＳＴ１２、ＳＴ１３でイオンランプ２０及びイオンリレー２９を停止し、ＳＴ９に進み運転停止までこれらを繰り返すものである。
【００２９】
このようにイオン発生装置１６の運転による負イオン発生時には常に空気清浄装置３０の集塵ユニット１１を運転して空気中のホコリを取り除き、室内機１自身や周辺の壁等がホコリで汚れることもなく、人体に有害な正イオンを発生するようなこともなくなった。
また集塵ユニット１１が外れたり、過電流が流れて異常停止したときにはイオン発生装置１６も停止するので室内機自身や周辺の壁等がホコリで汚れるようなこともなくなった。
【００３０】
【発明の効果】
以上のようにこの発明によれば、イオン発生手段の運転による負イオン発生時には常に空気清浄装置を運転して、空気中の目に見えない塵やタバコの煙をプラスの電位に帯電する放射電極にて取り除き、室内機自身や周辺の壁等がホコリで汚れることもなく、人体に有害な正イオンを発生するようなこともなくなった。
【図面の簡単な説明】
【図１】この発明の一実施例の斜面図。
【図２】同概略断面図。
【図３】同集塵ユニットの断面図。
【図４】同風量と負イオン量との関係を示す図。
【図５】同制御回路のブロック図。
【図６】同フローチャート図。
【符号の説明】
１  室内機
４  吸込口
６  吹出口
９  ファン
１１  集塵ユニット
１５  表示部
１７  放射電極
【図１】
0003645861.tif 000002
【図２】
0003645861.tif 000003
【図３】
0003645861.tif 000004
【図４】
0003645861.tif 000005
【図５】
0003645861.tif 000006
【図６】
0003645861.tif 000007